(57)【特許請求の範囲】
【請求項１】
電子機器の本体内から開口部を介して一端を外部に突出させて出没可能に支持された操作部と、
前記操作部の裏面一端側から前記本体内の基板に実装したスイッチに対向するように延設して前記操作部の出没動作に伴って押動するボスと、
前記本体内で前記操作部のボスを形成した一端から他端までの外周端から複数延在して遊端を前記基板方向に屈曲させた第１ヒンジ部と、
前記第１ヒンジ部が前記基板方向に屈曲する複数の端部を結合して前記ボスを形成した一端側から離反する他端側に延在し、この離反する方向に延在した他端を前記本体内に支持して前記ボスを形成した一端側が前記他端側より大きく撓むとともに、前記第１ヒンジ部に対して剛性を低くした第２ヒンジ部とを一体に形成したことを特徴とするプッシュツマミ構造。
【請求項２】
請求項１に記載したプッシュツマミ構造において、
前記第２ヒンジ部は、前記本体内で支持する前記他端を更に前記基板方向（略直角）に屈曲させて前記基板の実装面をシールドするシールド板に当接させることで、このシールド板と前記本体との間で挟持するように設けたことを特徴とするプッシュツマミ構造。
【請求項３】
請求項１または２のいずれかに記載したプッシュツマミ構造において、
前記第２ヒンジ部は、前記第１ヒンジ部が延在する幅に対して細く形成することで、剛性を低く設けたことを特徴とするプッシュツマミ構造。
【請求項４】
請求項１乃至３のいずれかに記載したプッシュツマミ構造において、
前記ボスは、前記操作部の裏面で中心でない外周の一端側に延設することで、前記基板に実装するスイッチの位置をずらして実装スペースを広く確保することを特徴とするプッシュツマミ構造。
【請求項５】
請求項１乃至４のいずれかに記載したプッシュツマミ構造において、
前記操作部は、前記本体の所定面に少なくとも１つ以上設けることで操作面を形成することを特徴とするプッシュツマミ構造。
【発明の詳細な説明】
【０００１】
【発明の属する技術分野】
本発明は、プッシュツマミ構造に関する。
【０００２】
【従来の技術】
従来、プッシュツマミ構造は、電子機器の本体に開口部を設けて操作部を突出させて本体内でヒンジ部により付勢して出没可能に支持するとともに、この操作部からボスを延在させて本体内の基板に実装したスイッチを押動（ＯＮ／ＯＦＦ）する構造がよく用いられている。図５は、このようなヒンジ部により出没可能に支持した従来のプッシュツマミ構造を示す構成図である。また、図６は、図５に示したプッシュツマミ５０を本体４０に装着する前の状態を示す図である。また、図７は、図５に示したＨ―Ｈ線の断面を示す断面図である。また、図８は、図５に示したＩ―Ｉ線の断面を示す断面図である。
【０００３】
図５に示すように、従来のプッシュツマミ５０構造は、電子機器の本体４０内から開口部４０ａを介して一端を外部に突出させて出没可能に支持された操作部５２と、この操作部５２の裏面一端側から本体４０内の基板６０に実装したスイッチ６４（図５ではタクトスイッチ）に対向するように延設して操作部５２の出没動作に伴って押動するボス５４と、本体４０内で操作部５２のボス５４を形成した一端から他端までの外周両端から一対に延在して遊端を基板６０方向に向けてほぼ直角に屈曲させたヒンジ部５６と、このヒンジ部５６の基板６０方向に屈曲する一対の端部を結合してボス５４を形成した一端側から離反する他端側に延在して本体４０内に両側を支持して固定する固定部５８とを備えている。
【０００４】
ここで、本体４０には、開口部４０ａを設けた内部上方の両側から突出してプッシュツマミ５０の固定部５８を保持する一対の保持部４０ｂを設けている。また、基板６０には、複数の部品（図示せず）を実装した実装面を覆って保護するシールド板６２を配置している。このシールド板６２は、基板６０に実装したスイッチ６４が露出するように開口穴６２ａを形成し、プッシュツマミ５０のボス５４と対向するように配置している。また、スイッチ６４は、基板６０の外周側に実装することで、基板６０中央の実装スペースを広く確保している。この場合、プッシュツマミ５０は、図６に示すように、ボス５４を操作部５２裏面の中心に延設するのではなく、スイッチ６４（図５参照）の位置に合わせて操作部５２裏面の片側に寄せて延設している。これにより基板６０には、種々の部品（図示せず）を実装可能な広い実装スペースが確保できる。また、プッシュツマミ５０は、図７に示すように、本体４０の保持部４０ｂに固定部５８を嵌入するとともに、この固定部５８に基板６０に配置したシールド板６２を当接させることで本体４０内に挟持している。
【０００５】
このような構成からなる従来のプッシュツマミ５０構造は、図８に示すように、使用者が外側から操作部５２の中央部を矢印Ｊ方向に押すことで、一対のヒンジ部５６が同時に撓んで操作部５２のボス５４がスイッチ６４を押して作動させる。また、使用者が外側から操作部５２の両端を矢印Ｋまたは矢印Ｌいずれかの方向から押した場合、一対のヒンジ部５６のいずれか片側が大きく撓み、操作部５２を傾かせながら押動させることで、片側（矢印Ｋ側）のボス５４がスイッチ６４を押して作動させることができる。
【０００６】
このように従来のプッシュツマミ構造は、操作部５２を支持した一対のヒンジ部５６が使用者の押した状態に応じて撓むことで、操作部５２のボス５４が基板６０に実装したスイッチ６４を押して作動させるとともに、このスイッチ６４を基板６０の外周側に実装して基板６０の実装スペースを広く確保していた。
【０００７】
【発明が解決しようとする課題】
しかしながら、従来のプッシュツマミ構造では、図８に示したように、使用者がボス５４を設けていない矢印Ｌ方向から操作部５２の片側を押した場合、この矢印Ｌ側のヒンジ部５６が大きく撓むことがあり、操作部５２のボス５４がスイッチ６４まで押動することなく作動しないことがある。この際、ヒンジ部５６は、前述した矢印Ｌ側が大きく撓むことで本体４０の開口部４０ａ内に操作部５２の片方のみが傾いて押動するため、使用者に違和感を与えるとともに、矢印Ｌ側と矢印Ｋ側との操作感（指圧感）が大きく異なってしまう。従って、従来のプッシュツマミ構造では、操作部５２の片側のみが本体４０の開口部４０ａ内に大きく傾いて押動する場合があるため、スイッチ６４が作動していないにも係わらず使用者に作動感を与えてしまうという不具合があった。
本発明はこのような課題を解決し、操作部を押す位置に係わらずヒンジ部の付勢により同じ操作感が得られ、スイッチを確実に作動することができるプッシュツマミ構造を提供することを目的とする。
【０００８】
【課題を解決するための手段】
本発明は上述の課題を解決するために、電子機器の本体内から開口部を介して一端を外部に突出させて出没可能に支持された操作部と、この操作部の裏面一端側から本体内の基板に実装したスイッチに対向するように延設して操作部の出没動作に伴って押動するボスと、本体内で操作部のボスを形成した一端から他端までの外周端から複数延在して遊端を基板方向に屈曲させた第１ヒンジ部と、この第１ヒンジ部が基板方向に屈曲する複数の端部を結合してボスを形成した一端側から離反する他端側に延在し、この離反する方向に延在した他端を本体内に支持してボスを形成した一端側が他端側より大きく撓むとともに、第１ヒンジ部に対して剛性を低くした第２ヒンジ部とを一体に形成する。
【０００９】
ここで、第２ヒンジ部は、本体内で支持する他端を更に基板方向に屈曲させて基板の実装面をシールドするシールド板に当接させることで、このシールド板と本体との間で挟持するように設けることが好ましい。また、第２ヒンジ部は、第１ヒンジ部が延在する幅に比べて細く形成することで、剛性を低く設けるこが好ましい。また、ボスは、操作部の裏面で中心でない外周の一端側に延設することで、基板に実装するスイッチの位置をずらして実装スペースを広く確保することが好ましい。また、操作部は、本体の所定面に少なくとも１つ以上設けることで操作面を形成することが好ましい。
【００１０】
【発明の実施の形態】
次に、添付図面を参照して本発明によるプッシュツマミ構造の実施の形態を詳細に説明する。図１は、本発明によるプッシュツマミ構造の実施の形態を示す構成図である。また、図２は、図１に示したプッシュツマミ２０を本体１０に装着する前の状態を示す図である。また、図３は、図１に示したＡ―Ａ線の断面を示す断面図である。また、図４は、図１に示したＢ―Ｂ線の断面を示す断面図である。
【００１１】
図１に示すように、本発明によるプッシュツマミ２０構造の実施の形態は、図５に示した従来技術と同様に、電子機器の本体１０内から開口部１０ａを介して一端を外部に突出させて出没可能に支持された操作部２２と、この操作部２２の裏面一端側から本体１０内の基板３０に実装したスイッチ３４（図１ではタクトスイッチ）に対向するように延設して操作部２２の出没動作に伴って押動するボス２４とを備えている。また、本実施の形態では、図５に示した従来技術とは異なり、本体１０内で操作部２２のボス２４を形成した一端から他端までの外周両端から一対に延在して遊端を基板３０方向に向けてほぼ直角に屈曲させた第１ヒンジ部２６を備え、この第１ヒンジ部２６が基板３０方向に屈曲する複数の端部を結合してボス２４を形成した一端側から離反する他端側に延在し、この離反する方向に延在した他端を本体１０内に支持することで、第１ヒンジ部２６に対してスティフネス（剛性、固さ）を低く設けた第２ヒンジ部２８を一体に形成している。従って、本実施の形態は、図５に示した従来技術の固定部を一部切り欠いて第１ヒンジ部２６と同様にヒンジ構造を備える第２ヒンジ部２８を一体に設けたものである。
【００１２】
ここで、本体１０には、開口部１０ａを設けた内部上方に突出し、プッシュツマミ２０の第２ヒンジ部２８が延在する一端側を保持する保持部１０ｂを設けている。また、プッシュツマミ２０は、操作部２２の上端から一対に延在する第１ヒンジ部２６を結合する第２ヒンジ部２８を本体１０の保持部１０ａに保持し、この保持部１０ａに保持した第２ヒンジ部２８の遊端を基板３０方向（ほぼ直角）に屈曲させて略Ｌ字状に形成している。そして、このプッシュツマミ２０は、図２に示すように、第１ヒンジ部２６の幅Ｃに対して第２ヒンジ部２８の幅Ｄを細く形成してスティフネスが異なるように設けている。
【００１３】
再び図１を参照して、基板３０には、図５に示した従来技術と同様に、複数の部品（図示せず）を実装した実装面を覆って保護するシールド板３２を配置している。このシールド板３２は、基板３０に実装したスイッチ３４が露出するように開口穴３２ａを形成し、プッシュツマミ２０のボス２４と対向するように配置している。また、スイッチ３４は、基板３０の外周側に寄せて実装することで、基板３０中央の実装スペースを広く確保している。この際、プッシュツマミ２０は、図２に示したように、ボス２４を操作部２２裏面の中心に延設するのではなく、スイッチ３４の位置に合わせて操作部２２裏面の片側に寄せて延設している。これにより基板３０には、種々の部品（図示せず）を実装可能な広い実装スペースが確保できる。
【００１４】
そして、プッシュツマミ２０は、図３に示すように、本体１０の保持部１０ｂに第２ヒンジ部２８の略Ｌ字状に屈曲した片側を嵌入するとともに、このＬ字状に屈曲した遊端を基板３０に配置したシールド板３２に当接させて本体１０内に挟持する。従って、プッシュツマミ２０は、図１に示したように、第２ヒンジ部２８の略Ｌ字状に屈曲した片側を本体１０の保持部１０ｂに支持させてこの遊端をシールド板３２に当接させて固定するとともに、他方に延在する遊端に第１ヒンジ部２６と操作部２２とを一体に形成して付勢した状態で支持している。
【００１５】
このように形成された本発明によるプッシュツマミ構造の実施の形態は、図４に示すように、使用者が外側から操作部２２の中央部を矢印Ｅ方向に押した場合、操作部２２から一対の第１ヒンジ部２６に均等に力が加わるとともに、この力が更に第２ヒンジ部２８に伝わることで、第１ヒンジ部２６と第２ヒンジ部２８とが同時に撓んで操作部２２が矢印Ｅ方向に押動する。これによりプッシュツマミ２０は、操作部２２の押動に伴ってボス２４が後退し、基板３０上のスイッチ３４を押して作動させるとともに、使用者に良好な操作感（指圧感）を与える。また、使用者が外側から操作部２２の片側を矢印Ｆ方向に押した場合、操作部２２のボス２４を設けた矢印Ｆ側の第１ヒンジ部２６と第２ヒンジ部２８とに大きな力が加わり十分に撓むことで、前述と同様にボス２４がスイッチ３４を確実に押して作動させるとともに、使用者に良好な操作感を与えることができる。
【００１６】
一方、使用者が外側から操作部２２の前述とは異なる他方の片側を矢印Ｇ方向に押した場合、第１ヒンジ部２６に対して第２ヒンジ部２８のスティフネス（剛性、固さ）を低く設けることで、最初に第２ヒンジ部２８が撓んで操作部２２を矢印Ｇ方向に押動させる。この際、第２ヒンジ部２８は、ボス２４を設けた矢印Ｆ側が大きく撓むとともに、ボス２４を設けていない矢印Ｇ側が少し撓んで操作部２２を押動する。また、プッシュツマミ２０は、第２ヒンジ部２８が撓んで後退する際、第１ヒンジ部２６も同時に撓んで操作部２２を押動させる。この第１ヒンジ部２６は、ボス２４を設けていない矢印Ｇ側が大きく撓むとともに、ボス２４を設けた矢印Ｆ側は少なく撓むことになる。従って、本実施の形態では、使用者がボス２４を設けていない矢印Ｇ側の操作部２２を押すと、第１ヒンジ部２６が矢印Ｇ側を大きく撓ませるのに対し、第２ヒンジ部２８が矢印Ｆ側を大きく撓ませるため、操作部２２の傾きが良好に調節される。これによりプッシュツマミ２０は、第１ヒンジ部２６及び第２ヒンジ部２８の撓みにより操作部２２の傾きが良好に調節されて押動するため、ボス２４が確実にスイッチ３４を押して作動させることができ、且つ、使用者に良好な操作感を与えることができる。
【００１７】
このように、本発明によるプッシュツマミ構造の実施の形態によると、図４に示した矢印Ｇ側から操作部２２を押した場合、第１ヒンジ部２６と第２ヒンジ部２８とが操作部２２の傾きを良好に調節するため、矢印Ｇ側と矢印Ｆ側との操作感（指圧感）を同じように調整でき、使用者が操作部２２を押す位置に係わらず良好な操作感を与えることができ、且つ、ボス２４がスイッチ３４を押して確実に作動させることができる。
【００１８】
以上、本発明によるプッシュツマミ構造の実施の形態を詳細に説明したが、本発明は前述した実施の形態に限定されるものではなく、その要旨を逸脱しない範囲で変更可能である。
例えば、操作部から一対に延在する第１ヒンジ部を備えたプッシュツマミ構造の実施の形態を説明したが、これに限定されるものではなく、操作部に第１ヒンジ部を必要に応じて複数設けても良い。
また、本体に操作部を一箇所設けたプッシュツマミ構造の実施の形態を詳細に説明したが、これに限定されるものではなく、例えば、本体の所定面に操作部を複数配置することで操作面を形成しても良い。
【００１９】
【発明の効果】
このように本発明によるプッシュツマミ構造によれば、操作部を押す位置に係わらずヒンジ部の付勢により同じ操作感が得られ、スイッチを確実に作動することが可能になる。
【図面の簡単な説明】
【図１】本発明によるプッシュツマミ構造の実施の形態を示す構成図。
【図２】図１に示したプッシュツマミを本体に装着する前の状態を示す図。
【図３】図１に示したＡ―Ａ線の断面を示す断面図。
【図４】図１に示したＢ―Ｂ線の断面を示す断面図。
【図５】従来のプッシュツマミ構造を示す構成図。
【図６】図５に示したプッシュツマミを本体に装着する前の状態を示す図。
【図７】図５に示したＨ―Ｈ線の断面を示す断面図。
【図８】図５に示したＩ―Ｉ線の断面を示す断面図。
【符号の説明】
１０    本体
１０ａ  開口部
１０ｂ  保持部
２０    プッシュツマミ
２２    操作部
２４    ボス
２６    第１ヒンジ部
２８    第２ヒンジ部
３０    基板
３２    シールド板
３２ａ  開口穴
３４    スイッチ
【図１】
0003931076.tif 000002
【図２】
0003931076.tif 000003
【図３】
0003931076.tif 000004
【図４】
0003931076.tif 000005
【図５】
0003931076.tif 000006
【図６】
0003931076.tif 000007
【図７】
0003931076.tif 000008
【図８】
0003931076.tif 000009